(57)【要約】【課題】ロケーション先の現場で行うユニットの交換、点検などのメンテナンス作業を簡素化して簡単、かつ短時間で安全に行えるようにした自動販売機の配線板装置を提供することを目的とする。【解決手段】商品収納ラックを搭載したキャビネット１の庫内に冷却加熱ユニット７を備え、商品を保冷ないし加温する自動販売機で、庫内の仕切り壁１ａに電気系統のハーネスの配線を施した配線板装置１５を備え、電装ボックス９からのハーネス１１と、商品収納ラックに取付けられた搬出装置５ａからのハーネス１１ａとを配線板装置１５を介して接続することにより、冷却加熱ユニット７の装着、脱着時にハーネスが邪魔になることなく容易に着脱することができ、作業性、安全性を高めることができる。【選択図】図１
2012014481.tif 000002
【特許請求の範囲】
【請求項１】
商品収納ラックを搭載したキャビネットの庫内に冷却加熱ユニットを備え、商品を保冷ないし加温する自動販売機で、庫内の仕切り壁に電気系統のハーネスの配線を施した配線板装置を備え、電装ボックスからのハーネスと、前記商品収納ラックに取付けられた搬出装置からのハーネスとを前記配線板装置を介して接続することを特徴とする自動販売機の配線板装置。
【請求項２】
前記配線板装置に固定用切り欠きを設けたことを特徴とする請求項１に記載の自動販売機の配線板装置。
【請求項３】
前記配線板装置に固定用爪を設け、庫内の仕切り壁に前記爪を差込んで固定したことを特徴とする請求項１または２に記載の自動販売機の配線板装置。
【請求項４】
前記配線板装置にマグネットを備え、前記マグネットの磁力により庫内の仕切り壁に固定したことを特徴とする請求項１から３のいずれか一項に記載の自動販売機の配線板装置。
【請求項５】
前記配線板装置に吸着装置を備え、前記吸着装置の吸着力により庫内の仕切り壁に配線板を固定したことを特徴とする請求項１から４のいずれか一項に記載の自動販売機の配線板装置。
【発明の詳細な説明】
【技術分野】
【０００１】
本発明は、缶、びん商品販売用の自動販売機の庫内の配線処理に関するものである。
【背景技術】
【０００２】
従来の自動販売機における庫内配線処理は、冷却加熱ユニットに並置して庫内の底壁上にハーネスの配線経路に沿ってダクト状の配線カバーを敷設し、その上に冷媒パイプを引回し配管する庫内配線処理について開示したものがある。（例えば、特許文献１参照）。
【０００３】
図７は、前記文献に記載された従来の自動販売機全体の概要構成図である。図８は、図７における自動販売機主要部の概要構成図である。図７、８において、断熱筐体としてなるキャビネット１０１は前面に外扉２と商品取出口３と断熱内扉４とを備え、キャビネット１０１には庫内の仕切り壁１０１ａにより複数の室に画成した上で、各室ごとにサーペンタイン式商品収納ラック１０５、商品搬出シュータ１０６、および冷却加熱ユニット１０７が収設されており、さらに庫内と底壁１０１ｂで仕切られたベース側の機械室内には冷凍機のコンデンシングユニット１０８、および電装ボックス１０９を据付けた構成になる。
【０００４】
かかる構成で販売指令が与えられると、商品収納ラック１０５の搬出装置１０５ａが作動して商品１１０を払出し、シュータ１０６を経て外扉１０２に開口する商品取出口１０３に搬出されることは周知の通りである。次に、前記した冷却加熱ユニット１０７およびサーペンタイン式商品収納ラック１０５と電装ボックス１０９との間のハーネスの配線は電装ボックス１０９から引出した電気系統のハーネス１１１（冷却加熱ユニット１０７、搬出装置１０５ａの信号線など）は底壁１０１ｂの前縁に切欠いた別な凹溝を通して構内に引き入れて図示のように冷媒パイプ１１２の上側を引回し、かつその配線束の途中でカプラ１１３を介して搬出装置１０５ａに接続するようにしている。
【先行技術文献】
【特許文献】
【０００５】
【特許文献１】特開２００１−３４４６４６号公報
【発明の概要】
【発明が解決しようとする課題】
【０００６】
しかしながら、冷却加熱ユニット１０７を庫内から引き出す際に、庫内に引回し配線したハーネス１１１は兼用化目的で長くなっているため邪魔となるのでカプラ１１３を外して、ハーネス１１１の束をばらして庫外に引き出すようにしているが、冷却加熱ユニット１０７のフィンなどに引っ掛かって引き出し難いという問題があった。
【０００７】
本発明は、上記従来の課題を解決するもので、従来における電気系統のハーネス配線構造を見直し、ロケーション先の現場で行うユニットの交換、点検などのメンテナンス作業を簡素化して簡単、かつ短時間で安全に行えるようにした自動販売機の配線板装置を提供することを目的とする。
【課題を解決するための手段】
【０００８】
上記従来の課題を解決するために、本発明の自動販売機の配線板装置は、商品収納ラックを搭載したキャビネットの庫内に冷却加熱ユニットを備え、商品を保冷ないし加温する自動販売機で、庫内の仕切り壁に電気系統のハーネスの配線を施した配線板装置を備え、電装ボックスからのハーネスと、前記商品収納ラックに取付けられた搬出装置からのハーネスとを前記配線板装置を介して接続するものである。
【０００９】
これによって、冷却加熱ユニットの装着、脱着時にハーネスが邪魔になることなく容易に着脱することができる。
【発明の効果】
【００１０】
本発明の自動販売機の配線板装置は、点検、部品交換などのために、自動販売機のロケーション先でキャビネットの庫内から冷却加熱ユニットを庫外に取り出す場合に、庫内側に引回し配線した電気系統のハーネスが邪魔することがなく、作業性、安全性を高めることができる。
【図面の簡単な説明】
【００１１】
【図１】本発明の実施の形態１における自動販売機全体の概要構成図
【図２】同実施の形態による自動販売機の配線板装置の正面図
【図３】本発明の実施の形態２における自動販売機の配線板装置の正面図
【図４】本発明の実施の形態３における自動販売機の配線板装置の側面図
【図５】本発明の実施の形態４における自動販売機の配線板装置の側面図
【図６】本発明の実施の形態５における自動販売機の配線板装置の側面図
【図７】従来の自動販売機全体の概要構成図
【図８】従来の自動販売機主要部の概要構成図
【発明を実施するための形態】
【００１２】
請求項１に記載の発明は、商品収納ラックを搭載したキャビネットの庫内に冷却加熱ユニットを備え、商品を保冷ないし加温する自動販売機で、庫内の仕切り壁に電気系統のハーネスの配線を施した配線板装置を備え、電装ボックスからのハーネスと、前記商品収納ラックに取付けられた搬出装置からのハーネスとを前記配線板装置を介して接続するものであり、冷却加熱ユニットの装着、脱着時にハーネスが邪魔になることなく容易に着脱することができ、作業性、安全性を高めることができる。
【００１３】
請求項２に記載の発明は、請求項１に記載の発明において、前記配線板装置に固定用切り欠きを設けたものであり、庫内の仕切り壁に配線板装置の一方をネジで仮止めできるので作業が容易になる。
【００１４】
請求項３に記載の発明は、請求項１または２に記載の発明において、前記配線板装置に固定用爪を設け、庫内の仕切り壁に前記爪を差込んで固定したものであり、ネジの数量と工数を削減して、配線板装置を庫内の仕切り壁に取り付けることができる。
【００１５】
請求項４に記載の発明は、請求項１から３のいずれか一項に記載の発明において、前記配線板装置にマグネットを備え、前記マグネットの磁力により庫内の仕切り壁に固定したものであり、磁力を有する金属板であれば配線板装置を庫内の仕切り壁に容易に取り付けることができる。
【００１６】
請求項５に記載の発明は、請求項１から４のいずれか一項に記載の発明において、前記配線板装置に吸着装置を備え、前記吸着装置の吸着力により庫内の仕切り壁に配線板を固定したものであり、庫内の仕切り壁に容易に配線板装置を取り付けることができる。
【００１７】
以下、本発明の実施の形態について、図面を参照しながら説明する。なお、この実施の形態によってこの発明が限定されるものではない。
【００１８】
（実施の形態１）
図１は、本発明の実施の形態１における自動販売機全体の概要構成図である。図２は、同実施の形態における配線板装置の正面図である。
【００１９】
図１、２において、断熱筐体としてなるキャビネット１は前面に外扉２と商品取出口３と断熱内扉４とを備え、キャビネット１には庫内の仕切り壁１ａにより複数の室に画成した上で、各室ごとにサーペンタイン式商品収納ラック５、商品搬出シュータ６、および冷却加熱ユニット７が収設されており、さらに庫内と底壁で仕切られたベース側の機械室内には冷凍機のコンデンシングユニット８、および電装ボックス９を備えている。そして、販売指令が与えられると、商品収納ラック５の搬出装置５ａが作動して商品を払出し、シュータ６を経て外扉２に開口する商品取出口３に搬出される。
【００２０】
また、冷却加熱ユニット７と電装ボックス９との間のハーネス１１、および商品収納ラック５の搬出装置５ａと電装ボックス９との間のハーネス１１ａは庫内の仕切り壁に配置した配線板装置１５を介して接続されている。配線板装置１５は内部に配線が施され、端部にカプラ１３ａ、およびカプラ１３ｂを備え、カプラ１３ａはハーネス１１と着脱自在に接続され、カプラ１３ｂはハーネス１１ａと着脱自在に接続されている。また、配線板装置１５の両端には固定部１５ａを備え、ネジ１４で固定される。
【００２１】
以上のように構成された自動販売機の配線板装置について、以下その動作を説明する。
【００２２】
図１、図２において、冷却加熱ユニット７はキャビネット１の庫内底部に据付けてあり、その横方向には電装ボックス９から庫内に引き入れたハーネス１１の配線経路に沿って庫内の仕切り壁１ａにネジ１４で取付けた配線板装置１５を設けておき、電装ボックス９から庫内に引き入れたハーネス１１と商品収納ラックに取り付けられた搬出装置５ａからのハーネス１１ａを配線板装置１５に設けてあるカプラ１３、１３ａで接続するようにしている。
【００２３】
以上のように本実施の形態１の自動販売機の配線板装置によれば、ユニットの交換、点検などのメンテナンス作業を行う際、冷却加熱ユニット７と電装ボックス９との間のハーネス１１、および商品収納ラック５の搬出装置５ａと電装ボックス９との間のハーネス１１ａは庫内の仕切り壁に配置した配線板装置１５を介して接続されているので、冷却加熱ユニット７の着脱時にそれぞれのハーネスが邪魔になることがなく、簡素化して簡単、かつ短時間で安全に行えるので、作業性、安全性を高めることができる。
【００２４】
（実施の形態２）
図３は、本発明の実施の形態２における自動販売機の配線板装置の正面図である。なお、実施の形態１と同一部分については、詳細な説明は省略する。
【００２５】
図３において、配線板装置１５の両端には、ねじ止めできる切り欠き１６を設けている。したがって、庫内の仕切り壁１ａにネジ１４を最初に仮止めし、次に配線板装置１５の切り欠きを仮止めしたネジ１４に差込み、配線板装置１５のもう一方をネジ１４で締め付け、仮止めのネジを締め付けることができる。
【００２６】
以上のように本実施の形態２の自動販売機の配線板装置１５によれば、ネジの取り付け穴に配線板装置１５の取り付け穴を合わさずに取り付けられ、さらに作業性を高めることができる。
【００２７】
（実施の形態３）
図４は、本発明の実施の形態３における自動販売機の配線板装置の側面図である。なお、実施の形態１と同一部分については、詳細な説明は省略する。
【００２８】
図４において、配線板装置１５の一端には、庫内の仕切り壁１ａの角穴に差し込む爪１７を設けている。したがって、庫内の仕切り壁１ａの角穴に配線板装置１５の爪１７を差し込み、もう一方をネジ１４で締め付けることができる。
【００２９】
以上のように本実施の形態３の自動販売機の配線板装置によれば、ネジの数量と工数を削減して、配線板装置を庫内の仕切り壁に取り付けることができる。
【００３０】
（実施の形態４）
図５は、本発明の実施の形態４における自動販売機の配線板装置の側面図である。なお、実施の形態１と同一部分については、詳細な説明は省略する。
【００３１】
図５において、配線板装置１５の一面には、庫内の仕切り壁１ａに接する側にマグネット１８を備えている。したがって、庫内の仕切り壁１ａの一部を磁性体で構成している場合、庫内の仕切り壁１ａに配線板装置１５のマグネット１８を対向させることで磁力により容易に固定することができる。
【００３２】
以上のように本実施の形態４の自動販売機の配線板装置によれば、ネジを使用せずに磁力を有する金属板を備えていれば、配線板装置１５を庫内の仕切り壁に容易に取り付けることができ、さらに作業性を高めることができる。
【００３３】
（実施の形態５）
図６は、本発明の実施の形態５における自動販売機の配線板装置の側面図である。なお、実施の形態１と同一部分については、詳細な説明は省略する。
【００３４】
図６において、配線板装置１５の両側部には、庫内の仕切り壁１ａに接する側に吸着装置１９を備えている。したがって、配線板装置１５の庫内の仕切り壁１ａに接する側に吸着装置１９が取り付けてあり、庫内の仕切り壁１ａに配線板装置１５を吸着装置の吸引力により容易に固定することができる。
【００３５】
以上のように本実施の形態５の自動販売機の配線板装置によれば、配線板装置１５に吸着装置１９を設けたことにより、庫内の仕切り壁が磁力を有する金属でなくても配線板装置を取り付けることができる。
【産業上の利用可能性】
【００３６】
以上のように、本発明にかかる自動販売機の配線板装置は、点検、部品交換などのために、自動販売機のロケーション先でキャビネットの庫内から冷却加熱ユニットを庫外に取り出す場合に、庫内側に引回し配線した電気系統のハーネスが邪魔することがなく、作業性、安全性を高めることができるので、配線板装置を介して接続する機器に適用できる。
【符号の説明】
【００３７】
１    キャビネット
１ａ  庫内の仕切り壁
５ａ  搬出装置
７    冷却加熱ユニット
９    電装ボックス
１１、１１ａ  ハーネス
１３、１３ａ  カプラ
１４  ネジ
１５  配線板装置
１６  切り欠き
１７  爪
１８  マグネット
１９  吸着装置
【図１】
2012014481.tif 000003
【図２】
2012014481.tif 000004
【図３】
2012014481.tif 000005
【図４】
2012014481.tif 000006
【図５】
2012014481.tif 000007
【図６】
2012014481.tif 000008
【図７】
2012014481.tif 000009
【図８】
2012014481.tif 000010